(57)【要約】      （修正有）【課題】アピールする場所以外では、普通のカジュアルパンツであるが、必要に応じてカジュアルパンツが劇的に変化して、さまざまなライナーを第三者にアピールできるディスプレイパンツを提案する。【解決手段】付加バンド１の下部を、後方に縫付けて、それを下に折返せば、後向きにエプロンをした状態になり、この状態で付加バンド１の最下部に、付加バンド１の長さのループの面テープ６を縫付け、ベルト通しの下から面テープの幅下げた位置にも、同じ長さのループの面テープ６を縫付け、全長は付加バンド１で、付加バンド１の幅の２倍幅に面テープの幅を加えて帯布の幅にしたものをライナー９のサイズとし、ライナー９の裏に、フックの面テープ７を縫付け、サイドリリーバックル３を止めれば普通のカジュアルパンツになり、サイドリリースバックル３を外し付加バンド１を下に折返すことでライナーをアピールできるディスプレイパンツ。【選択図】図１
2013057154.tif 000002
【特許請求の範囲】
【請求項１】
カジュアルなパンツに関して、パンツをはいた状態で、横の長さは前タックから腰に沿って後回りに他方の前タックまで、縦の長さは着物生地の並幅の半分の幅に面テープの幅を加えて帯布の幅として、この帯布と同じ長さで、面テープの幅のナイロンテープを、帯布の端を袋にして中に通し、ナイロンテープの両端には、オスのサイドリリースバックルを付けたものを、付加バンドとし、オスのサイドリリースバックルは、折返して付加バンドに収納できるようにしておき、付加バンドの前後には筒状の被せポケットを付けておく、ノータックパンツの付加バンドの横の長さは左右の折り目を基準に計測し、縦の長さの計測はタックのあるパンツと同じ、前後にポケットの無いパンツのベルト通しの下から、面テープの幅だけ下げた位置に付加バンドを合わせて、前タックから腰に沿って後回りに他方の前タックまで、ナイロンテープを内蔵した方を上にして付加バンドの最下部を、縫い代に沿ってパンツに縫付けて、付加バンドのオスのサイドリリースバックルに対応させて、パンツ側の左右の前タック位置にメスのサイドリリースバックルを取付け、パンツの内側にファスナー付きポケットを付け、付加バンドの表面の色はパンツと同色でなくても良い、縫付けた付加バンドを下に折返し、その折返した面の最下部に付加バンドの長さのループの面テープを縫付け、同様にパンツのベルト通しの下から面テープの幅だけ下げた位置にも、前タックから前タックまで腰に沿って後回りにループの面テープを縫付けておく、後向きにエプロンをした状態、全長は付加バンドで、付加バンドの幅の２倍幅に面テープの幅を加えて帯布の幅にしたものをライナーのサイズとし、裏側には上の両端部分と中央部分、下の両端部分と中央部分にフックの面テープを縫付けたものをライナーとし、後向きにエプロンをしたように付加バンドを折返して、パンツのベルト通しの下のループの面テープとライナーのフックの面テープの上部を合わせ、付加バンドの最下部のループの面テープとライナーの下部のフックの面テープを合わせて取付けて、ライナーをエプロンに乗せ、付加バンドを上に戻してサイドリリースバックルを止めれば、普通のカジュアルパンツになり、逆にサイドリリースバックルを外し付加バンドを下に折返すパフォーマンスをしてライナーをアピールする。パフォーマンス時は安全のため、オスのサイドリリースバックルを付加バンドに収納しておく、このように本発明は付加バンドを折返すパフォーマンスをしてライナーをアピールする時としない時で、表情が一変する特徴を持ったディスプレーパンツである。本発明は、男性用のパンツに関するものであるが、男性用パンツの前開き部分を閉じれば、構造は女性用も同じである。
【発明の詳細な説明】
【技術分野】
【０００１】本発明は、新規なカジュアルなパンツに関する。
【発明の開示】
【発明が解決しようとする課題】
【０００２】本発明は、一見すると普通のジーンズやチノパンのようなカジュアルパンツであるが、サイドリリースバックルを外しライナーを第三者に見せてアピールすることができる。そして終了すれば元の普通のカジュアルパンツに戻す。さまざまなライナーを選び交換することで、多様な表現が可能になる。このような効用を持ったディスプレーパンツである。
【課題を解決するための手段】
【０００３】本発明でいうパンツとは、辞書によれば、両足を覆う洋装の外衣の総称がズボンとされるが、スラックス・パンタロン・パンツとも呼ぶため、ここでは全てのものをパンツとして扱う。本発明でいう普通のカジュアルパンツとは、本発明もカジュアルパンツであるが、パフォーマンスすることで、パンツに劇的な変化が起こるため、ここではパフォーマンスをしない状態を普通のカジュアルパンツと呼んでいる。見た目はブルージーンズやチノパンと変わらない。本発明でいう付加バンドとは、ポケットの無いパンツをはいて、ベルト通しの下に一定幅の帯布を巻付け、その帯布の上部には、ナイロンテープを隠しベルトにして、そのベルトの両端に取付けたサイドリリースバックルで付加バンドを脱着でき、その帯布の下部を前タックから前タックまで後向きにぐるりと縫い付けたもので、下に折返してライナーを付けることができる仕掛けで、後向きのエプロンのようになる。本発明でいうライナーとは、雪月花等我が国伝統の図柄、サッカー・野球のスポーツチームのデザイン、ウルトラマン・ドラえもん等ＴＶや漫画のキャラクター等主張すべき好きな図柄が描かれてある帯布で、後向きのエプロンのようにした付加バンドに取付けるために、裏に面テープを付けたものである。カジュアルなパンツに関して、パンツをはいた状態で、横の長さは前タックから腰に沿って後回りに他方の前タックまで、縦の長さは着物生地の並幅の半分の幅に面テープの幅を加えて帯布の幅として、この帯布と同じ長さで、幅が面テープ（ベルクロ）の幅のナイロンテープを、帯布の端を袋にして中に通し、ナイロンテープの両端には、オスのサイドリリースバックルを付けたものを、付加バンドとし、オスのサイドリリースバックルは、折返して付加バンドに収納できるようにしておき、付加バンドの前後には筒状の被せポケットを付けておく。ノータックパンツの付加バンドは左右の折り目を基準に、同じようにして帯布の横の長さを算出、縦の長さの計測はタックのあるパンツと同じ。前後にポケットの無いパンツのベルト通しの下から、面テープの幅だけ下げた位置に付加バンドを合わせて、前タックから腰に沿って後回りに他方の前タックまで、付加バンドをナイロンテープを内蔵した方を上にして最下部をパンツに縫付けて、付加バンドのオスのサイドリリースバックルに対応させて、パンツ側の左右の前タック位置にメスのサイドリリースバックルを取付け、パンツの内側にファスナー付きポケットを設け、付加バンドの表側の色はパンツと同色でも異なっても良い。縫付けた付加バンドを下に折返し、その折返した面の最下部に付加バンドの長さのループの面テープを付け、同様にパンツのベルト通しの下から面テープの幅だけ下げた位置にも、前タックから前タックまで腰に沿って後回りにループの面テープを付けて後向きにエプロンをした状態になる。これがライナーをエプロンに乗せるディスプレーパンツの構造である。本発明において付加バンドの縦の長さに、面テープの幅を加えている理由は、付加バンドを元に戻した際に、パンツのベルト通しの下に面テープが重なってかさ張らないようにずらしたからである。本発明では、一々パンツをはいた状態で付加バンドの長さを計測しているが、具体的には、パンツはウエストのサイズがＳ・Ｍ・Ｌとあるので、付加バンドも予め計測しておき、ウエストサイズに対応させたサイズのライナーを用意する。全長は付加バンドで、付加バンドの幅の２倍幅に面テープの幅を加えて帯布の幅にしたものをライナーのサイズとし、裏側には上の両端部分と中央部分、下の両端部分と中央部分にフックの面テープを縫付けたものをライナーとする。後向きにエプロンをしたように付加バンドを折返して、パンツのベルト通しの下のループの面テープとライナーのフックの面テープの上部を合わせ、付加バンドの最下部のループの面テープとライナーの下部のフックの面テープを合わせて取付け、付加バンドを上に戻してサイドリリースバックルを止めれば、普通のカジュアルパンツになり、逆にサイドリリースバックルを外し付加バンドを下に折返すパフォーマンスをしてライナーをアピールする。この時安全のためオスのサイドリリースバックルを付加バンドに収納しておく。このように本発明は付加バンドを折返すパフォーマンスをしてライナーをアピールする時としない時で、表情を一変させることができる特徴を持ったディスプレーパンツである。本発明は、男性用のパンツに関するものであるが、前開き部分を閉じれば、構造は女性用も同じである。
【発明の効果】
【０００４】個人や集団が本発明のディスプレーパンツを、第三者に対してパフォーマンスをして、選択したライナーの内容を人々にアピールすることが本発明の目的である。
【発明を実施するための最良の形態】
【０００５】以下、本発明を図に拠って詳細に説明する。
【実施例１】
【０００６】図１のディスプレーパンツでは、前タックの位置１１から後向きに腰回りに取付けた付加バンド１を下に折返した状態と元に戻した状態とを同時に描いているが、付加バンド１はナイロンテープ２に付けた両サイドのオスのサイドリリースバックル５を同時に脱着する。これを外し、後向きのエプロンのようになったところに、図２のライナー９のフックの面テープ７を図１のディスプレーパンツのループの面テープ６に取付ける。付加バンドには被せポケット８を前後に付ける。ディスプレーパンツには、ファスナー付きポケット１０を付ける。付加バンドを折返し元に戻し、サイドリースバックル４にサイドリリーバックル５を止めれば普通のカジュアルパンツになる。ライナーを見せパフォーマンスをする時は両方のサイドリリースバックル３を外す。面テープを脱着してライナーを付け替えられるのが本発明の特徴である。【０００７】本発明は次のようにして使用する。アピールする場所以外の電車内等では、普通のカジュアルパンツにしておき、必要に応じて以下のように機能させる。ディスプレーパンツに、蛍光剤を塗布したライナーを取付けて、サイドリリースバックルを外し下にさげて、朝夕にウォーキング、ジョギング、サイクリングする際、自動車のドライバーが早く発見できるようにアピールする。キッズ用にドラえもん等漫画のキャラクタやウルトラマン等ＴＶのヒーローをライナーにすれば、子供同士の楽しみがます。御婦人方は着物を着る手間も係らず、金襴、唐織、辻が花等の高価な絹織物には手が出なくて、本発明のライナーなら腰に一巻き程の長さなので、伝統の柄を楽しめる。さらに民族伝統のデザインを、国の大小、国力に係わりなく、世界中の人々が本発明によって主張できる。本発明をジーンズやチノパンの生地でつくり、付加バンドに野球やサッカー等のスポーツチームに係るライナーを乗せれば人気が出る。本発明では、ライナーのデザインを、子供から大人まで誰でも提案することができ、単純なものから芸術に値するものまで多様な表現が可能である。さらにライナーを部屋に飾る等ライナーだけで楽しむこともできる。
【図面の簡単な説明】
【図１】この発明のディスプレーパンツの斜視図を示す。
【図２】この発明のライナーの斜視図を示す。
【符号の説明】１  ：付加バンド２  ：ナイロンテープ３  ：サイドリリースバックル４  ：メスのサイドリリースバックル５  ：オスのサイドリリースバックル６  ：ループの面テープ７  ：フックの面テープ８  ：被せポケット９  ：ライナー１０：ファスナー付きポケット１１：前タックの位置
【図１】
2013057154.tif 000003
【図２】
2013057154.tif 000004